(57)【要約】【課題】  放射線検出パネルの保護と小型化の点で有利な放射線画像撮影装置を提供する。【解決手段】  放射線画像撮影装置は、放射線を検出する放射線検出パネルと、該放射線検出パネルを収容する筐体と、電気部品と、を備える。前記筐体は、前記放射線を前記放射線検出パネルに入射させるための頂部部材と、前記放射線検出パネルを挟んで前記頂部部材と反対の側に配置された底部部材と、前記頂部部材と前記底部部材とを接続する側部部材と、を含む。前記底部部材の前記放射線検出パネルの側の内表面は、前記放射線検出パネルを支持する支持面を含む。前記底部部材の前記放射線検出パネルの側とは反対の側に少なくとも１つの凹部が形成される。前記少なくとも１つの凹部のそれぞれは、前記筐体の外部に露出された前記底部部材の外表面の一部によって画定される。前記少なくとも１つの凹部に前記電気部品が配置される。【選択図】  図４
2020030219.tif 000002
【特許請求の範囲】
【請求項１】
放射線を検出する放射線検出パネルと、前記放射線検出パネルを収容する筐体と、複数の電気部品と、を備える放射線画像撮影装置であって、
前記筐体は、前記放射線を前記放射線検出パネルに入射させるための頂部部材と、前記放射線検出パネルを挟んで前記頂部部材と反対の側に配置された底部部材と、前記頂部部材と前記底部部材とを接続する側部部材と、を含み、
前記底部部材の前記放射線検出パネルの側とは反対の側に、大きさの異なる複数の凹部が配置され、
前記複数の凹部に前記電気部品が配置されることを特徴とする放射線画像撮影装置。
【請求項２】
前記複数の凹部のそれぞれに異なる電気部品が配置されていることを特徴とする請求項１に記載の放射線画像撮影装置。
【請求項３】
前記電気部品は、前記放射線検出パネルから検出信号を読み出す制御基板および前記放射線検出パネルに電力を供給するための充電池を含むことを特徴とする請求項１または２に記載の放射線画像撮影装置。
【請求項４】
前記制御基板が配置された凹部の大きさが、前記充電池が配置された凹部の大きさよりも大きいことを特徴とする請求項３に記載の放射線画像撮影装置。
【請求項５】
前記複数の凹部のそれぞれを覆う複数のカバー部材をさらに備えることを特徴とする請求項１から４のいずれか１項に記載の放射線画像撮影装置。
【請求項６】
前記複数のカバー部材のいずれかと前記複数の電気部品のいずれかとは一体化されていることを特徴とする請求項５に記載の放射線画像撮影装置。
【請求項７】
前記複数のカバー部材のうち少なくとも１つは、非導電性材料で形成されていることを特徴とする請求項５または６に記載の放射線画像撮影装置。
【請求項８】
前記複数のカバー部材のそれぞれは、前記底部部材と同一の材料で形成されていることを特徴とする請求項５ないし７のいずれか１項に記載の放射線画像撮影装置。
【請求項９】
前記頂部部材と前記放射線検出パネルとの間に緩衝材を配置することを特徴とする請求項１ないし８のいずれか１項に記載の放射線画像撮影装置。
【請求項１０】
請求項１ないし９のいずれか１項に記載の放射線画像撮影装置と、
前記放射線画像撮影装置からの信号を処理する信号処理部と、
前記信号処理部からの信号を表示するための表示部と、
前記放射線を発生させるための放射線源と、
を備えることを特徴とする放射線画像撮影システム。
【発明の詳細な説明】
【技術分野】
【０００１】
本発明は、放射線画像撮影装置および放射線画像撮影システムに関する。
【背景技術】
【０００２】
対象物に放射線を照射し、対象物を透過した放射線の強度分布を検出して対象物の放射線画像を得る放射線画像撮影装置が工業用の非破壊検査や医療診断の場で広く一般に利用されている。近年では、蛍光体に入射した放射線に対応して発光した光をセンサにより電気的情報に変換する放射線検出パネルを用いて放射線デジタル画像を撮影する撮影装置が開発され、即時的に出力画像を得ることができるようになった。
【０００３】
このような撮影装置は、迅速かつ広範囲な部位の撮影を可能にするため、薄型で軽量な可搬型の撮影装置、いわゆる電子カセッテが開発されている。特に近年では、可搬性を増すために、ケーブル接続のいらないワイヤレスタイプの撮影装置が開発されている。このようなタイプの撮影装置の場合、電力を供給するための電源である充電池が内蔵、もしくは、着脱できる状態の構成となり、従来のものより高い可搬性を有している。
【０００４】
撮影時に、撮影装置に対して衝撃力や外力が負荷されることが想定される。そういった外力に対し、放射線検出パネルを構成するガラス基板が破損する恐れがある。ガラス基板が破損すると、放射線画像を鮮明に撮影することが著しく困難になるため、ガラス基板の破損を避けるように撮影装置を十分に保護することが必要である。そのような事態においても、撮影装置の内部の放射線検出機能が正常に機能するために、撮影装置には、強度、耐振動性、耐衝撃性を考慮したものが要求される。それと同時に、撮影装置は、取り扱いを容易にしたり、可搬性を向上したり、迅速な撮影を可能とするために、小型化、薄型化、軽量化することが求められている。
【０００５】
そのために、撮影装置は様々な構成がとられることがある。特許文献１記載の撮影装置では、放射線検出パネルを凹部を有する基台で支持し、それらを補強板、支持体を介して筺体の底部の内面上に支持することで、剛性の向上と軽量化を狙っている。また、特許文献２記載の撮影装置では、放射線検出パネルを基台と構造体とを介して筺体の底部の内面上に支持することで、剛性の向上と軽量化を狙っている。
【０００６】
特許文献３記載の撮影装置では、筐体を繊維強化樹脂などのモノコック構造にすることで、撮影装置の強度向上を狙っている。特許文献３記載の撮影装置では、放射線検出パネルは筐体の側壁を構成する２つの蓋部材に取り付けた緩衝部材によって保持される。特許文献３には、放射線検出パネルを筐体の頂部の内壁に接着層によって保持することが開示されている。このように、様々な構造で撮影装置の小型化、薄型化、軽量化が従来行われてきた。
【先行技術文献】
【特許文献】
【０００７】
【特許文献１】特許第３８４８２８８号公報
【特許文献２】特開２０１０−２８１７５３号公報
【特許文献３】特開２０１２−１８１２３８号公報
【発明の概要】
【発明が解決しようとする課題】
【０００８】
しかしながら、上述の従来例においては、いくつかの課題も存在する。特許文献１、２記載の撮影装置では、放射線検出パネルを内包する筺体とは別に、放射線検出パネルを支持する基台および支持体を必要とする。特許文献３記載の撮影装置では、外装となる筺体が剛性を確保する構造となっているが、放射線検出パネルを筐体に支持する支持部材が他に必要である。放射線検出パネルの支持部材は、比較的剛性のある部材であることが望ましいが、支持部材に剛性を十分に持たせると、軽量化が難しくなる。そのため、支持部材と筐体とを、ビスなどで締結したり、接触させたりすることで剛性の向上が計られる。しかし、このような場合は、撮影装置内に包括する必要性がある制御基板や、充電池などを配置することが困難となりやすい。
【０００９】
例えば、特許文献２では、放射線検出パネルを制御する制御基板が放射線の入射方向からみて放射線検出パネルの外側に配置されている。この場合、放射線検出パネルを保護する撮影装置の筐体とガラス基板との距離を少なくする、いわゆる狭額縁構造がとりにくく、撮影装置の小型化が難しくなる。
【００１０】
特許文献３には、放射線検出パネルを筐体の放射線入射面側の頂部の内壁に貼りつけることによって、放射線検出パネルを筐体の支持する支持部材をなくす構成が紹介されている。このような構成の場合、筐体の頂部で必要な剛性を確保する必要がある。放射線源から発せられた放射線は、被写体と筐体の頂部を通過したあと放射線検出パネルにおいて検出される。筐体の頂部は、撮影した画像にアーチファクトとして残らないように、均一な板厚である単純な板状の形状をした場合が多い。そのため、必要な剛性を確保するために、筐体の頂部にリブ状の構造を持たせる等、部材の形状を変えることによる剛性の向上が困難である。その結果、必要な剛性を確保するには、単純に板厚を増すような構造となってしまい、撮影装置全体の小型化、軽量化が困難となる。また、放射線検出パネルを筐体の頂部の内面に接着すると、筺体に外力などの負荷が加わった場合に、放射線検出パネルへ外力の伝達がされやすく、負荷が大きくなってしまう。更に、曲げ応力の関係から、外力が加わった時に、放射線検出パネルに強い引張応力が負荷されやすい。この引張応力は、放射線検出パネルのセンサ基板を構成するガラス基板を破壊する原因となりやすい。
【００１１】
本発明は、放射線検出パネルの保護と小型化の点で有利な放射線画像撮影装置を提供することを目的とする。
【課題を解決するための手段】
【００１２】
本発明は、放射線を検出する放射線検出パネルと、前記放射線検出パネルを収容する筐体と、複数の電気部品と、を備える放射線画像撮影装置であって、前記筐体は、前記放射線を前記放射線検出パネルに入射させるための頂部部材と、前記放射線検出パネルを挟んで前記頂部部材と反対の側に配置された底部部材と、前記頂部部材と前記底部部材とを接続する側部部材と、を含み、前記底部部材の前記放射線検出パネルの側とは反対の側に、大きさの異なる複数の凹部が配置され、前記複数の凹部に前記電気部品が配置されることを特徴とする。
【発明の効果】
【００１３】
本発明によれば、放射線検出パネルの保護と小型化の点で有利な放射線画像撮影装置を提供することができる。
【図面の簡単な説明】
【００１４】
【図１】実施例１の放射線画像撮影装置の外観図である。
【図２】実施例１の放射線画像撮影装置の縦断面図である。
【図３】実施例１の放射線画像撮影装置の横断面図である。
【図４】実施例２の放射線画像撮影装置の縦断面図である。
【図５】実施例２の放射線画像撮影装置の横断面図である。
【図６】実施例３の放射線画像撮影装置の外観図である。
【図７】実施例３の放射線画像撮影装置の縦断面図である。
【図８】実施例３の放射線画像撮影装置の横断面図である。
【図９】放射線画像撮影システムを説明する図である。
【発明を実施するための形態】
【００１５】
［実施例１］
図１は、放射線検出パネル１を内蔵した放射線画像撮影装置（撮影装置）１００の外観を示している。図１の（ａ）は、放射線の入射面側からみた撮影装置１００の外観図であり、（ｂ）は、放射線の入射面側とは反対の側からみた撮影装置１００の外観図である。図２は、図１の撮影装置１００のＡ−Ａ方向の縦断面図であり、図３は、図１の撮影装置１００のＢ−Ｂ方向の横断面図である。一般的に、撮影装置１００は、図示しない放射線源によって発せられ、被写体を透過した放射線を二次元の格子状に配列した光電変換素子（センサ)によって検出する。この撮影装置１００で取得された画像は、外部に転送され、モニタ上などに表示され診断などに使用される。
【００１６】
放射線検出パネル１は、基板に多数の光電変換素子（センサ)が配置されたセンサ基板と、センサ基板の上に配置された蛍光体層（シンチレータ層）と、蛍光体保護膜などを含む。放射線検出パネル１は、フレキシブル回路基板４と接続されている。放射線検出パネル１から検出信号を読み出し、読み出した検出信号を処理する制御基板５が、フレキシブル回路基板４と接続されている。図２に示されるように、実施例１の撮影装置１００は、必要な電力を供給するための充電池２を備えているが、外部から有線接続で電力を供給してもよい。制御基板５、充電池２をまとめて、電気部品と総称する。
【００１７】
実施例１の撮影装置１００は、その軽量化、薄型化、小型化を実現するために、図１に示す以下のような構成をとる。撮影装置１００は放射線検出パネル１を収容する筐体（外装）７を有する。筐体７は、放射線源から発せられた放射線を放射線検出パネル１へ入射させるための頂部部材７ａと、放射線の入射側と反対側に位置して放射線検出パネル１を支持する底部部材７ｃと、頂部部材７ａと底部部材７ｃとを接続する側部部材７ｂと、を含む。底部部材７ｃの放射線検出パネル１の側の内表面のうち、少なくとも放射線検出パネル１の有効画素の領域を支持する支持面は、平坦に形成されている。ここで、有効画素の領域とは、実際に放射線画像を取得する撮影領域を指す。底部部材７ｃは、放射線検出パネル１を挟んで頂部部材７ａと反対の側に配置されている。
【００１８】
制御基板５や充電池２等の電気部品を保持するために、底部部材７ｃは、放射線検出パネル１の側とは反対の側の外表面に少なくとも１つの凹部を有している。少なくとも１つの凹部のそれぞれは、筐体７の外部に露出された底部部材７ｃの外表面の一部によって画定される。これにより、放射線の入射方向からみて、放射線検出パネル１の外側に電気部品を配置することがなくなるため、狭額縁をとりやすい構成となる。実施例１では、図２や図３に示すように、頂部部材７ａは、側部部材７ｂおよび底部部材７ｃとは異なる部材で構成されている。頂部部材７ａは、放射線の透過や剛性などの関係から炭素繊維強化樹脂などから構成されるが、これに限らない。一方、側部部材７ｂ、底部部材７ｃは、放射線検出パネル１を十分に保護するための剛性を確保するために、繊維強化樹脂、繊維強化金属、アルミニウム合金、マグネシウム合金などから構成される。
【００１９】
底部部材７ｃは、頂部部材７ａよりも曲げ剛性が高くなるように構成する。これにより、センサ基板を構成するガラス基板に対する曲げ応力によって発生する引張応力の負荷を緩和することができる。また、放射線の入射側からの衝撃力から放射線検出パネル１を保護するために、放射線検出パネル１と頂部部材７ａとの間には衝撃を吸収するための緩衝材３が配置される。以上の構造により、実施例１の撮影装置１００は、十分な剛性の確保と軽量化、薄型化、小型化とを両立しながら、撮影装置１００に必要な構成物を配置するための構造を確保することができる。
【００２０】
実施例１では、図２、図３に示されるように、電気的な安全性の確保と、制御基板５や充電池２などの電気部品の交換を可能にするために、凹部を閉空間として形成するためのアクセスカバー（カバー部材）６が凹部を覆うように配置される。アクセスカバー６は、筐体７の底部部材７ｃに例えば嵌めこみによって締結されるが取り外しが可能である。凹部に対する防水性を維持するために、底部部材７ｃとアクセスカバー６との接触部にシール部材を配置してもよい。更に、アクセスカバー６は、形成された閉空間に配置する制御基板５や充電池２と一体化されていてもよい。
【００２１】
アクセスカバー６は、熱による反りなどの影響を抑制するために、底部部材７ｃと同じ部材で構成し得る。撮影装置１００と外部との無線通信などを可能にするために、アクセスカバー６や筐体７の一部は非導電性材料で構成してもよい。アクセスカバー６は、非導電性の樹脂や、炭素繊維強化樹脂等の繊維強化樹脂などの材料から実現することができるが、これに限らない。アクセスカバー６を底部部材７ｃに固定することで、剛性を更に向上することもできるため、より軽量化を行いやすい構成となる。
【００２２】
実施例１では、これらの構成により、剛性を全体の部材で確保するため、剛性の確保と軽量化、薄型化、小型化とを両立しながら、電気部品を配置するための構造を確保することができる。これにより、従来技術では難しかった撮影装置１００の更なる軽量化、薄型化、小型化を行うことができる。
【００２３】
［実施例２］
図４及び図５は、実施例２における撮影装置１００の断面図を示しており、図４は、図１におけるＡ−Ａ方向の縦断面図を、図５は、Ｂ−Ｂ方向の横断面図をそれぞれ示している。実施例１と同じように、放射線検出パネル１の読み出し制御や電気出力の処理を行う制御基板５がフレキシブル回路基板４を介して放射線検出パネル１と接続されており、電力を供給するための充電池２も同様に設けられている。
【００２４】
実施例１では、放射線検出パネル１を支持する基台を省略しながら、放射線検出パネル１を筐体７の底部部材７ｃで支持する。また、撮影装置１００を小型化したままで制御基板５や充電池２を配置するために、底部部材７ｃの下面に凹構造を持たせ、アクセスカバー６により閉空間を形成した。しかし、実施例１では、筐体７で撮影装置１００に必要な剛性を確保する必要があるので、更なる軽量化が難しい場合も考えられる。
【００２５】
そこで、実施例１よりも更なる軽量化を行うために、実施例２における撮影装置１００は、以下のような構成をとっている。筐体７は、実施例１と同様に、放射線検出パネル１を内包するとともに支持するために、底部部材７ｃの上面に、放射線検出パネル１を内包するとともに支持する平坦な支持面を有している。また、底部部材７ｃは、その下面に、制御基板５や充電池２を内蔵するための凹部を少なくとも１つ有している。
【００２６】
実施例１では、底部部材７ｃを単層構造で構成した。これに対し、実施例２では、放射線検出パネル１を支持する底部部材７ｃを、図４、図５に示されるように、多層構造で構成する。実施例２の底部部材７ｃは、コア層７ｃ２の両面をスキン層７ｃ１で挟んだサンドイッチ構造を有する。底部部材７ｃの上面側に配置されるスキン層７ｃ１は平坦面を形成している。また、コア層７ｃ２の下面には、少なくとも１つの凹部が形成されている。凹部はコア層７ｂを肉抜きするような手法で形成することができる。スキン層７ｃ１を剛性の高い繊維強化樹脂や繊維強化金属、またはアルミ合金やマグネシウム合金等の金属合金などから形成し、コア層７ｃ２を発泡樹脂や、ハニカム構造や格子構造を有するアルミ合金や樹脂などの構造体で構成することができる。
【００２７】
コア層７ｃ２は、弾性が非常に小さく、比重が小さい部材となる。そのため、コア層７ｃ２だけでは、十分な剛性を確保することは難しいが、コア層７ｃ２を剛性の強いスキン層７ｃ１で挟むことで、全体的な曲げ剛性を向上している。コア層７ｃ２は剛性が低いので、凹部を形成する場合、図４や図５のように、下面側のスキン層７ｃ１も同様に凹部に追従するように構成することができる。これにより、サンドイッチ構造の急激な曲げ剛性の変化を少なくすることができる。
【００２８】
そのような構造を取らずに、サンドイッチ構造の曲げ剛性が急激に変化する場合を考える。その場合には、剛性が急激に変化する部分の付近で、底部部材７ｃによって支持されているセンサ基板を構成するガラス基板が、外力によって局所的にひずみ、応力集中が発生してしまう恐れがある。そのため、撮影装置１００が全体として十分な剛性を有していても、ガラス基板が破損する恐れがある。
【００２９】
サンドイッチ構造の底部部材７ｃの曲げ剛性は、放射線の入射面となる頂部部材７ａの曲げ剛性より高くする。これにより、ガラス基板に対する曲げ応力による引張応力の負荷を緩和することができるので、更なる軽量化を行いやすい。実施例１と同様に、実施例２においても、凹部に覆うようにアクセスカバー６を配置し、電気的な安全性の確保と、制御基板５や充電池２等の電気部品の交換を可能にしている。アクセスカバー６は、熱による反りなどの影響を抑制するために、スキン層７ｃ１と同一材料であるか、もしくは多層構造の材料で構成してもよい。
【００３０】
これらの構成により、撮影装置１００の剛性を確保しながら、撮影装置１００に必要な電気部品を配置するための構造を確保することができる。これにより、従来技術では難しかった撮影装置１００の更なる軽量化、薄型化。小型化を行うことができる。
【００３１】
［実施例３］
実施例１、実施例２では、図２等に示されるように、筐体７の頂部部材７ａを取り外せる構成となっている。しかし、筐体７の取り外し構造は、それに限ることはない。実施例３では、筐体７が撮影装置１００の捻りを抑制しやすいような構造を有する。捻りを抑制しながら軽量化を行うために、実施例３における撮影装置１００は以下のような構成をとる。図６に実施例３における撮影装置１００の外観図を示している。図６の（ａ）は放射線の入射する側から見た外観図であり、（ｂ）は、放射線の入射側とは反対の側のから見た外観図である。図７および図８は、図６におけるＡ−Ａ方向の縦断面図とＢ−Ｂ方向の横断面図をそれぞれ示している。実施例３では、側部部材７は、一対の第１の側部部材７ｂ１と一対の第２の側部部材７ｂ２とを含む。
【００３２】
筐体７は、図７に示されるように、頂部部材７ａと底部部材７ｃとが一対の第１側部部材７ｂ１で連結され、一対の開口部を有する角筒状のモノコック構造を有する。一対の第２の側部部材７ｂ２は、モノコック構造の一対の開口部に取り外し可能に取り付けられて筐体７の内部を閉空間にすることができる。第２の側部部材７ｂ２をモノコック構造から取り外すことによって筐体７の側部部材７ｂの一対の開口部が開口され、当該開口部を介して放射線検出パネル１を筐体７の内部に挿入し、組み立てることが可能とある。頂部部材７ａ、底部部材７ｃ、一対の第１側部部材７ｂ１からなるモノコック構造は、繊維強化樹脂などを用いてオートクレーブ成形などから作成することができる。
【００３３】
実施例１、実施例２と同様に、底部部材７ｃの平坦な上面で放射線検出パネル１を支持し、底部部材７ｃの下面側に少なくとも１つの凹部が形成されている。実施例３の底部部材７ｃは、図７、図８に示されるように、実施例２と同様に多層構造（サンドイッチ構造）とすることができる。この場合も、スキン層７ｃ１は、剛性の高い繊維強化樹脂や繊維強化金属、またはアルミ合金やマグネシウム合金などの金属合金から形成し、コア層７ｃ２は、発泡樹脂や、ハニカム構造や格子構造を有するアルミ合金や樹脂などの構造体で構成することができる。また、実施例２と同様に、底部部材７ｃの曲げ剛性は、頂部部材７ａの曲げ剛性よりも高くする。これにより、ガラス基板に対する曲げ応力による引張応力の負荷を緩和することができるので、更なる軽量化を行いやすい。
【００３４】
筐体７に設けた凹部には、制御基板５や充電池２などの電気部品を配置することができる。また、これらの凹部には、アクセスカバー６を配置し、電気的な安全性の確保と、電気部品の交換を可能にしている。これらの構成により、実施例３の撮影装置１００は、剛性を筐体７全体で確保するため、剛性の確保と軽量化、薄型化、小型化を両立しながら、撮影装置１００に必要な電気部品を配置するための構造を確保することができる。これにより、従来技術では難しかった撮影装置１００の更なる軽量化、薄型化、小型化を行うことができる。
【００３５】
［放射線画像撮影システム］
図９は、上述した放射線画像撮影装置１００を含む放射線画像撮影システムに関する。図９に示すように、Ｘ線チューブ（放射線源）２１０で発生したＸ線（放射線）２１１は、患者あるいは被験者２２０の胸部２２１を透過し、放射線画像撮影装置１００に入射する。この入射したＸ線には患者２２０の体内部の情報が含まれている。Ｘ線の入射に対応してシンチレータ（蛍光体）は発光し、この発光をセンサパネル１１０のセンサ（光電変換素子）１１１が光電変換して、電気的情報を得る。この電気的情報は、デジタルに変換され、信号処理部（イメージプロセッサ）２３０により画像処理され、表示部（ディスプレイ）２４０によって観察できる。
【００３６】
また、イメージプロセッサ２３０により画像処理された情報は、電話、ＬＡＮ、インターネットなどのネットワーク等の伝送処理部２５０により遠隔地へ転送できる。したがって、イメージプロセッサ２３０により画像処理された情報は、別の場所のドクタールームなどの表示部（ディスプレイ）２４１に表示したり、光ディスク等の記録部に保存したりすることができ、遠隔地の医師によって診断可能である。また、イメージプロセッサ２３０により画像処理された情報は、フィルムプロセッサ２６０によりフィルム２６１に記録することもできる。
【００３７】
本発明の放射線検出装置は、医療用の放射線検出装置や、非破壊検査装置等の放射線を利用した医療用以外の分析、検査用途の装置への応用が可能である。
【符号の説明】
【００３８】
１００：放射線画像撮影装置。１：放射線検出パネル。２：充電池（電気部品）。５：制御基板（電気部品）。７：筐体。７ａ：頂部部材。７ｂ：側部部材。７ｃ：底部部材。
【図１】
2020030219.tif 000003
【図２】
2020030219.tif 000004
【図３】
2020030219.tif 000005
【図４】
2020030219.tif 000006
【図５】
2020030219.tif 000007
【図６】
2020030219.tif 000008
【図７】
2020030219.tif 000009
【図８】
2020030219.tif 000010
【図９】
2020030219.tif 000011
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
放射線を検出する放射線検出パネルと、前記放射線検出パネルを収容する筐体と、前記放射線検出パネルから検出信号を読み出す制御基板と、前記放射線検出パネルに電力を供給するための充電池と、を備える放射線画像撮影装置であって、
前記筐体は、前記放射線が入射する側に配置された頂部部材と、前記放射線検出パネルを挟んで前記頂部部材と反対の側に配置された底部部材と、を含み、
前記底部部材の前記放射線検出パネルの側とは反対の側に、大きさの異なる複数の凹部が配置され、
前記複数の凹部は、前記制御基板が配置された凹部と、前記充電池が配置された凹部と、を含むことを特徴とする放射線画像撮影装置。
【請求項２】
前記制御基板が配置された凹部の大きさが、前記充電池が配置された凹部の大きさよりも大きいことを特徴とする請求項１に記載の放射線画像撮影装置。
【請求項３】
前記複数の凹部のそれぞれを覆う複数のカバー部材をさらに備えることを特徴とする請求項１または２に記載の放射線画像撮影装置。
【請求項４】
前記複数のカバー部材のうち少なくとも１つは、非導電性材料で形成されていることを特徴とする請求項３に記載の放射線画像撮影装置。
【請求項５】
前記複数のカバー部材のそれぞれは、前記底部部材と同一の材料で形成されていることを特徴とする請求項３または４に記載の放射線画像撮影装置。
【請求項６】
放射線を検出する放射線検出パネルと、前記放射線検出パネルを収容する筐体と、前記放射線検出パネルから検出信号を読み出す制御基板と、を備える放射線画像撮影装置であって、
前記筐体は、前記放射線が入射する側に配置された頂部部材と、前記放射線検出パネルを挟んで前記頂部部材と反対の側に配置された底部部材と、を含み、
前記底部部材の前記放射線検出パネルの側とは反対の側に、前記制御基板が配置された凹部が配置されていることを特徴とする放射線画像撮影装置。
【請求項７】
請求項１ないし６のいずれか１項に記載の放射線画像撮影装置と、
前記放射線画像撮影装置からの信号を処理する信号処理部と、
前記信号処理部からの信号を表示するための表示部と、
前記放射線を発生させるための放射線源と、
を備えることを特徴とする放射線画像撮影システム。
【手続補正２】
【補正対象書類名】明細書
【補正対象項目名】００１２
【補正方法】変更
【補正の内容】
【００１２】
本発明は、放射線を検出する放射線検出パネルと、前記放射線検出パネルを収容する筐体と、前記放射線検出パネルから検出信号を読み出す制御基板と、前記放射線検出パネルに電力を供給するための充電池と、を備える放射線画像撮影装置であって、前記筐体は、前記放射線が入射する側に配置された頂部部材と、前記放射線検出パネルを挟んで前記頂部部材と反対の側に配置された底部部材と、を含み、前記底部部材の前記放射線検出パネルの側とは反対の側に、大きさの異なる複数の凹部が配置され、前記複数の凹部は、前記制御基板が配置された凹部と、前記充電池が配置された凹部と、を含むことを特徴とする。